(57)【要約】【課題】比較的小さい径でもカッターなどの刃物によって容易に切断されない優れた耐刃物切断性を有する金属・繊維複合ロープを提供する。【解決手段】軸方向に貫通孔１００を有する金属製の複数の短軸体１と、直列状に配された前記短軸体１の貫通孔１００に挿通されることにより短軸体群を保持する縄状体２と、前記短軸体群を被覆する高強度繊維３とからなり、前記短軸体群は、隣接する短軸体１の端部どうしが当接するとともに、この当接部が関節機構ｊを構成することによりロープが可曲性を有する。この金属・繊維複合ロープは、短軸体群の各短軸体１間に関節機構ｊを有するために適切な可曲性を有するともに、直列した金属製の短軸体群とその外側を覆う高強度繊維３との複合化により、非常に優れた耐刃物切断性を示す。【選択図】      図１
2004256975.tif 000002
【特許請求の範囲】
【請求項１】
軸方向に貫通孔を有する金属製の複数の短軸体と、直列状に配された前記短軸体の貫通孔に挿通されることにより短軸体群を保持する縄状体と、前記短軸体群を被覆する高強度繊維とからなり、
前記短軸体群は、隣接する短軸体の端部どうしが当接するとともに、該当接部が関節機構を構成することにより、ロープが可曲性を有することを特徴とする耐刃物切断性に優れた金属・繊維複合ロープ。
【請求項２】
短軸体は、一端が凸曲面状の端部に構成されるとともに、他端が凹曲面状の端部に構成され、隣接する短軸体間で一方の短軸体の凸曲面状の端部を他方の短軸体の凹曲面状の端部に嵌め込むことにより関節機構が構成されることを特徴とする請求項１に記載の耐刃物切断性に優れた金属・繊維複合ロープ。
【請求項３】
短軸体が、アルミニウム又は／及びアルミニウム合金からなることを特徴とする請求項１又は２に記載の耐刃物切断性に優れた金属・繊維複合ロープ。
【請求項４】
高強度繊維が、剛直性高分子樹脂繊維、屈曲性高分子樹脂繊維、炭素繊維、金属繊維の中から選ばれる１種以上であることを特徴とする請求項１、２又は３に記載の耐刃物切断性に優れた金属・繊維複合ロープ。
【請求項５】
縄状体が、ワイヤロープ、高強度繊維ロープ、ワイヤ−高強度繊維複合ロープの中から選ばれる１種以上であることを特徴とする請求項１、２、３又は４に記載の耐刃物切断性に優れた金属・繊維複合ロープ。
【請求項６】
短軸体は、少なくとも、端部を除く本体部分の外面にセラミック被覆層を有することを特徴とする請求項１、２、３、４又は５に記載の耐刃物切断性に優れた金属・繊維複合ロープ。
【請求項７】
請求項１、２、３、４、５又は６に記載の金属・繊維複合ロープの両端に、他の部材に脱着可能に連結するための連結部材を設けたことを特徴とする盗難防止用器具。
【請求項８】
金属・繊維複合ロープの一端に、自動車のハンドルに脱着可能に連結するための連結部材を設けるとともに、他端に自動車室内の他の部位又は部材に脱着可能に連結するための連結部材を設けたことを特徴とする請求項７に記載の盗難防止用器具。
【請求項９】
金属・繊維複合ロープの他端に自動車のギアシフトレバーに脱着可能に連結するための連結部材を設けたことを特徴とする請求項８に記載の盗難防止用器具。
【請求項１０】
請求項１、２、３、４、５又は６に記載の金属・繊維複合ロープの両端に、該両端を脱着可能に連結するための連結部材を設けたことを特徴とする盗難防止用器具。
【請求項１１】
請求項１、２、３、４、５又は６に記載の金属・繊維複合ロープを用いた物品の盗難防止構造であって、前記金属・繊維複合ロープを物品に巻き付けるとともに、該金属・繊維複合ロープの一部を固定構造物に設けた係止部に係止することを特徴とする物品の盗難防止構造。
【請求項１２】
請求項１、２、３、４、５又は６に記載の金属・繊維複合ロープを用いた物品の盗難防止構造であって、高強度繊維織布とその幅方向両側に沿って固着された前記金属・繊維複合ロープとを備えた巻付手段を物品に巻き付けるとともに、該巻付手段の一部を固定構造物に設けた係止部に係止することを特徴とする物品の盗難防止構造。
【請求項１３】
物品に巻き付けた巻付手段の両端側部分を締結手段で締結することにより、物品に巻き付けた巻付取手段部分を物品外面に密着固定させるとともに、巻付手段の両端部を固定構造物に設けた係止部に係止することを特徴とする請求項１２に記載の物品の盗難防止構造。
【請求項１４】
物品が金庫であることを特徴とする請求項１１、１２又は１３に記載の物品の盗難防止構造。
【発明の詳細な説明】
【０００１】
【発明の属する技術分野】
本発明は、カッターなどの刃物によっても容易に切断されない優れた耐刃物切断性を有する金属・繊維複合ロープと、これを利用した盗難防止用器具及び物品の盗難防止構造に関する。
【０００２】
【従来の技術】
物が動かされないように或いは物が持ち去られないように繋ぎ止めておく手段としては、ロープや鎖などが最も一般的な手段であるが、一般のロープや鎖はカッターなどによって容易に切断でき、一方、それらを切断しにくいものにするには径を太くする必要があり、扱い難いものとなってしまう。
【０００３】
【発明が解決しようとする課題】
したがって本発明の目的は、比較的小さい径でもカッターなどの刃物によって容易に切断されない優れた耐刃物切断性を有する金属・繊維複合ロープを提供することにある。
また、本発明の他の目的は、そのような優れた耐刃物切断性を有する金属・繊維複合ロープを利用した盗難防止用器具を提供することにある。
さらに、本発明の他の目的は、そのような優れた耐刃物切断性を有する金属・繊維複合ロープを利用した物品の盗難防止構造を提供することにある。
【０００４】
【課題を解決するための手段】
本発明者は、上記課題を解決できる新規なロープの構造について検討を行った。その結果、複数の金属製の短軸体（駒）をビーズのように縄状体で繋ぐことにより可曲性をもたせ、且つその外側を高強度繊維で被覆した金属・繊維複合構造とすることにより、比較的小径でも優れた耐刃物切断性を示すロープが得られることを見い出した。
本発明はこのような知見に基づきなされたもので、その特徴は、以下のとおりである。
［１］  軸方向に貫通孔を有する金属製の複数の短軸体と、直列状に配された前記短軸体の貫通孔に挿通されることにより短軸体群を保持する縄状体と、前記短軸体群を被覆する高強度繊維とからなり、
前記短軸体群は、隣接する短軸体の端部どうしが当接するとともに、該当接部が関節機構を構成することにより、ロープが可曲性を有することを特徴とする耐刃物切断性に優れた金属・繊維複合ロープ。
【０００５】
［２］  上記［１］の金属・繊維複合ロープにおいて、短軸体は、一端が凸曲面状の端部に構成されるとともに、他端が凹曲面状の端部に構成され、隣接する短軸体間で一方の短軸体の凸曲面状の端部を他方の短軸体の凹曲面状の端部に嵌め込むことにより関節機構が構成されることを特徴とする耐刃物切断性に優れた金属・繊維複合ロープ。
［３］  上記［１］又は［２］の金属・繊維複合ロープにおいて、短軸体が、アルミニウム又は／及びアルミニウム合金からなることを特徴とする耐刃物切断性に優れた金属・繊維複合ロープ。
［４］  上記［１］〜［３］のいずれかの金属・繊維複合ロープにおいて、高強度繊維が、剛直性高分子樹脂繊維、屈曲性高分子樹脂繊維、炭素繊維、金属繊維の中から選ばれる１種以上であることを特徴とする耐刃物切断性に優れた金属・繊維複合ロープ。
【０００６】
［５］  上記［１］〜［４］のいずれかの金属・繊維複合ロープにおいて、縄状体が、ワイヤロープ、高強度繊維ロープ、ワイヤ−高強度繊維複合ロープの中から選ばれる１種以上であることを特徴とする耐刃物切断性に優れた金属・繊維複合ロープ。
［６］  上記［１］〜［５］のいずれかの金属・繊維複合ロープにおいて、短軸体は、少なくとも、端部を除く本体部分の外面にセラミック被覆層を有することを特徴とする耐刃物切断性に優れた金属・繊維複合ロープ。
［７］  上記［１］〜［６］のいずれかの金属・繊維複合ロープの両端に、他の部材に脱着可能に連結するための連結部材を設けたことを特徴とする盗難防止用器具。
［８］  上記［７］の盗難防止用器具において、金属・繊維複合ロープの一端に、自動車のハンドルに脱着可能に連結するための連結部材を設けるとともに、他端に自動車室内の他の部位又は部材に脱着可能に連結するための連結部材を設けたことを特徴とする盗難防止用器具。
【０００７】
［９］  上記［８］の盗難防止用器具において、金属・繊維複合ロープの他端に自動車のギアシフトレバーに脱着可能に連結するための連結部材を設けたことを特徴とする盗難防止用器具。
［１０］  上記［１］〜［６］のいずれかの金属・繊維複合ロープの両端に、該両端を脱着可能に連結するための連結部材を設けたことを特徴とする盗難防止用器具。
［１１］  上記［１］〜［６］のいずれかの金属・繊維複合ロープを用いた物品の盗難防止構造であって、前記金属・繊維複合ロープを物品に巻き付けるとともに、該金属・繊維複合ロープの一部を固定構造物に設けた係止部に係止することを特徴とする物品の盗難防止構造。
【０００８】
［１２］  上記［１］〜［６］のいずれかの金属・繊維複合ロープを用いた物品の盗難防止構造であって、高強度繊維織布とその幅方向両側に沿って固着された前記金属・繊維複合ロープとを備えた巻付手段を物品に巻き付けるとともに、該巻付手段の一部を固定構造物に設けた係止部に係止することを特徴とする物品の盗難防止構造。
［１３］  上記［１２］の盗難防止構造において、物品に巻き付けた巻付手段の両端側部分を締結手段で締結することにより、物品に巻き付けた巻付取手段部分を物品外面に密着固定させるとともに、巻付手段の両端部を固定構造物に設けた係止部に係止することを特徴とする物品の盗難防止構造。
［１４］  上記［１１］〜［１３］のいずれかの盗難防止構造において、物品が金庫であることを特徴とする物品の盗難防止構造。
【０００９】
【発明の実施の形態】
図１は、本発明の金属・繊維複合ロープの一実施形態を示す部分断面平面図である。この金属・繊維複合ロープは、軸方向に貫通孔１００を有する金属製の複数の短軸体１（駒）と、直列状に配された前記複数の短軸体１の貫通孔１００に挿通されることにより短軸体群を保持する縄状体２と、前記短軸体群を被覆する高強度繊維３（繊維織布）とから構成されている。
前記複数の短軸体１を直列状に配した短軸体群は、隣接する短軸体１の端部どうしが当接するとともに、この当接部が関節機構ｊを構成することにより、ロープに可曲性が与えられる。
【００１０】
本実施形態の短軸体１は、一端が凸曲面状（凸球面状）の端部１０１に構成されるとともに、他端が凹曲面状（凹球面状）の端部１０２に構成され、隣接する短軸体間で一方の短軸体１の凸曲面状の端部１０１を他方の短軸体１の凹曲面状の端部１０２に嵌め込むことにより、関節機構ｊが構成されるようになっている。
短軸体１の前記貫通孔１００の両端は外側に向かってロート状に拡径１０４しており、この拡径部１０４により貫通孔１００に挿通された縄状体２が前記関節機構ｊの動きを阻害しないようにしている。
短軸体１の材質は金属であれば特に制限はないが、製作の容易性や耐刃物切断性（強度）の面からは、アルミニウム、アルミニウム合金（例えば、ジュラルミン（商品名）など）の１種以上から構成することが好ましい。
短軸体１の長さは任意であるが、短ければ短いほどロープの可曲率を小さくできるので、ロープとしての機能を高めることができる。
【００１１】
前記縄状体２の材質も特に限定されないが、引張強度等の面からは、ワイヤロープ、高強度繊維ロープ、ワイヤ−高強度繊維複合ロープの中から選ばれる１種以上とすることが好ましい。なお、高強度繊維としては、後述する高強度繊維３に用いられる繊維の１種以上を用いることが好ましい。
この縄状体２は、上記のように直列状に配された複数の短軸体１の貫通孔１００に挿通され、これら複数の短軸体１、すなわち短軸体群を保持する。
【００１２】
前記高強度繊維３は、縄状体２に保持された短軸体群の外側を被覆するもので、例えば、高強度繊維織布を短軸体群に巻き付けてその端部を固着してもよいし、高強度繊維織布を予め筒状にしておき、その中に短軸体群を挿入してよい。
高強度繊維３に用いられる繊維としては、例えば、剛直性高分子樹脂繊維、屈曲性高分子樹脂繊維、炭素繊維、金属繊維などが挙げられ、これらの中から選ばれる１種以上を用いることができる。
【００１３】
前記剛直性高分子樹脂繊維としては、全芳香族ポリアミド繊維（アラミド繊維）、全芳香族ポリエステル繊維、ヘテロ環高性能繊維などがある。
前記全芳香族ポリアミド繊維（アラミド繊維）には、パラ系アラミド繊維とメタ系アラミド繊維がある。前者の例としては、例えば、「ケブラー」（商品名，デュポン社製）、「トワロン」（商品名，アクゾ社製）、「テクノーラ」（商品名，帝人製）などがあり、後者の例としては、例えば、「ノーメックス」（商品名，デュポン社製）、「コーネックス」（商品名，帝人製）などがある。
前記全芳香族ポリエステル繊維の例としては、例えば、「ベクトラン」（商品名，セラニーズ社製）、「エコノール」（商品名，カーボランダム社製）などがある。
前記ヘテロ環高性能繊維としては、例えば、ポリ−ｐ−フェニレンベンゾビスチアゾール（ＰＢＺＴ）繊維、ポリ−ｐ−フェニレンベンズビスオキサゾール（ＰＢＯ）繊維などがある。
【００１４】
前記屈曲性高分子樹脂繊維には、ポリエチレン繊維、ポリビニルアルコール繊維、ポリアクリロニトリル繊維、ポリエチレンテレフタレート繊維、ナイロン繊維、ポリアセタール繊維などがある。
前記ポリエチレン繊維としては、例えば、「ダイニーマ」（商品名，東洋紡製）、「テクミロン」（商品名，三井石油化学製）などがある。
前記ポリアセタール繊維としては、例えば、「デルリン」（商品名，デュポン社製）、「テナックＳＤ」（商品名，旭化成製）などがある。
また、前記炭素繊維は、強度の面からは特にＰＡＮ系炭素繊維が好ましく、このＰＡＮ系炭素繊維としては、例えば、「トレカ」（商品名，東レ製）、「ベスファイト」（商品名，東邦レーヨン製）などがある。
【００１５】
図２は、本発明の金属・繊維複合ロープの端部の構造の一例を示す部分断面平面図である。この例は、環部４０を有する端部金具４をロープ端部に取り付けたもので、ロープ端の短軸体１´の端部を平坦面に構成し、この端部を端部金具４に当接又は接合するとともに、貫通孔１００´から突出した縄状体２の端部を端部金具４に設けられた挿通孔４１に挿通させ、その端部に止め金具５を取り付け、縄状体２を端部金具４に係止したものである。また、端部金具４が取付けられたロープ本体の端部には、高強度繊維３を固定するための環体６が外嵌されている。
なお、ロープ端部の構造は上記実施形態に限定されるものではなく、適宜の構造とすることができる。
【００１６】
図３は、短軸体１の他の実施形態を示すもので、図１の実施形態に較べて、凸曲面状の端部１０１をより長くし、凹曲面状の端部１０２の凹みをより深くしたものである。
本発明の金属・繊維複合ロープの切断強度（耐刃物切断性）をより高めるには、金属製の短軸体１の少なくとも端部を除く本体部分の外面に、セラミック被覆層を形成することが好ましい。図４は、その一実施形態を示すもので、凸曲面状の端部１０１と凹曲面状の端部１０２以外の本体部の外面に、セラミック被覆層１０３が形成されている。このセラミック被覆層１０３としては、例えば、セラミック塗料を塗布して形成したもの（好ましくは、セラミック塗料を塗布後に焼付処理したもの）、燒結セラミックにより構成したもの、などを適用できる。なお、セラミック被覆層１０３は、端部１０１，１０２を含めた短軸体１の全体に形成してもよい。
【００１７】
以上のような本発明の金属・繊維複合ロープは、短軸体群の各短軸体１間に関節機構ｊを有するために適切な可曲性を有するともに、直列した金属製の短軸体群とその外側を覆う高強度繊維３との複合化により、非常に優れた耐刃物切断性を示す。このように本発明の金属・繊維複合ロープが優れた耐刃物切断性を示す理由は必ずしも明らかではないが、剛性金属体である短軸体と高強度繊維とが刃物による切断を妨げる何らかの協働作用をするためであると考えられる。
【００１８】
次に、以上述べた本発明の金属・繊維複合ロープを利用した盗難防止用器具について説明する。
本発明の金属・繊維複合ロープは、物またはその部材の一部が動かないように或いは物が持ち去られないように繋ぎ止めておく盗難防止用器具（手段）として好適に利用することができ、この場合には、金属・繊維複合ロープの両端に、他の部材に脱着可能に連結するための連結部材を設ける。この連結部材の構造は任意であり、例えば、図２に示すような環部４０を有する金具であってもよいし、可動部（例えば、開閉可能な可動部）を有するものであってもよい。
【００１９】
図５は、本発明の金属・繊維複合ロープを利用した自動車の盗難防止用器具の一実施形態を示すもので、この盗難防止用器具ａは、金属・繊維複合ロープｂの一端にハンドルＸに連結するための連結部材７を、また、他端にギアシフトレバーＹに連結するための連結部材８を設けたものである。
前記連結部材７，８は、例えば、金属製の開閉可能なリング状連結部を有し、このリング状連結部を閉状態で施錠できるようにしたもの（すなわち、手錠タイプのもの）などで構成することができる。図６はその一例を示すもので、開閉可能なリング状連結部９は、金属・繊維複合ロープｂが接続固定された部材１０に回動可能に枢着１１された１対のリング構成部材１２ａ，１２ｂからなり、これら１対のリング構成部材１２ａ，１２ｂの先端が脱着可能に連結されることにより、閉状態となるように構成されている。そして、両リング構成部材１２ａ，１２ｂの先端の連結部分には、両部材を閉状態で施錠するための施錠部１３が設けられている。
【００２０】
自動車のギアシフトレバーＹは、一般にシャフト部ｙ１とこのシャフト部ｙ１の先端に設けられるノブ部ｙ２とからなっており、図６に示す連結部材の構造を、図５に示すようなギアシフトレバーＹに連結するための連結部材８に適用する場合には、一般には連結部材８をシャフト部ｙ１に連結することになる。そしてこの場合には、リング状連結部９の内径をシャフト部ｙ１の径より大きく、ノブ部ｙ２の径よりも小さくし、連結された連結部材８がギアシフトレバーＹのシャフト部ｙ１から抜けないようにする必要がある。
【００２１】
最近、自動車の盗難が頻発しているが、図５に示すような自動車の盗難防止用器具によれば、ハンドルが回転できないようにロックされるため、自動車を自走させる場合は勿論のこと、押し動かす際にもハンドル操作ができず、このため自動車の持ち去りを困難なものとすることができる。
なお、本発明の自動車の盗難防止用器具の連結部材７，８の構造は、上記実施形態のものに限定されるものではなく、適宜な構造のものとすることができる。また、連結部材８は、自動車室内のギアシフトレバーＹ以外の他の部位（例えば、ハンドル支持部、ドア内側ノブ等）に脱着可能に連結されるものであってもよい。
【００２２】
図７は本発明の盗難防止用器具の他の実施形態を示すもので、金属・繊維複合ロープ両端の連結部を示す部分断面平面図である。
この実施形態の盗難防止用器具は、二輪車（自動二輪車、自転車など）の盗難防止用器具として公知のもの、すなわち、ロープ（通常、鎖とこれを被覆する軟質プラスチックチューブからなるロープ）の両端をダイヤル錠で脱着可能に連結できるようにした器具に、本発明の金属・繊維複合ロープを適用したものである。
図において、１４はダイヤル錠であって、このダイヤル錠１４は金属・繊維複合ロープｂの一端に接続固定される雄部材１５ａと、金属・繊維複合ロープｂの他端に接続固定され、前記雄部材１５ａが嵌挿されるダイヤル付の雌部材１５ｂとからなり、その具体的な構造は従来周知のものと同様である。
【００２３】
また、部材１５ａ，１５ｂに対するロープの接続構造は、図２と同様に、ロープ端の短軸体１´の端部を平坦面に構成し、この端部を各部材１５ａ，１５ｂの端面に当接又は接合するとともに、貫通孔１００´から突出した縄状体２の端部を各部材１５ａ，１５ｂに設けられた挿通孔１５０に挿通させ、その端部に止め金具１６を取り付け、縄状体２を各部材１５ａ，１５ｂに係止したものである。
また、各部材１５ａ，１５ｂが取り付けられたロープ本体の端部には、高強度繊維３を固定するための環体１７が外嵌されている。
なお、各部材１５ａ，１５ｂに対するロープ端部の接続構造は上記実施形態に限定されるものではなく、適宜の構造とすることができる。
【００２４】
次に、本発明の金属・繊維複合ロープを用いた物品の盗難防止構造について説明する。
図８は、本発明の金属・繊維複合ロープを利用した金庫の盗難防止構造の一実施形態を示すもので、金属・繊維複合ロープｂを金庫Ｄの外面（上面、両側面及び下面）に巻き付けるとともに、この金属・繊維複合ロープｂの一部を固定構造物Ｅ（例えば、建物の床や壁など）に設けた係止部１８に係止したものである。この実施形態では、金庫Ｄの両側面に設けられた門型のロープ挿通部１９に金属・繊維複合ロープｂが挿通されるとともに、このロープｂの両端側部分が金庫Ｄの下面に設けられた門型のロープ挿通部１９ａに反対方向から挿通された後、束ねられて前記係止部１８に止め金具２０によって係止されている。
【００２５】
図９及び図１０は、本発明の金属・繊維複合ロープを利用した金庫の盗難防止構造の他の実施形態を示すもので、高強度繊維織布２１とその幅方向両側に沿って固着された金属・繊維複合ロープｂと備えた巻付手段ｃを金庫Ｄの外面（上面、両側面及び下面）に巻きつけるとともに、この巻付手段ｃの一部を固定構造物Ｅ（例えば、建物の床や壁など）に設けた係止部１８に係止したものである。
本実施形態では、金庫Ｄに巻き付けた巻付手段ｃの両端側部分を金庫Ｄの下面に設けた締結部材２２で締結することにより、金庫Ｄに巻き付けられた巻取手段ｃの部分を金庫外面に密着固定している。前記締結部材２２は、図８に示すロープ挿通部１９と同様の門型の巻付手段挿通部を有するとともに、この巻付手段挿通部に挿通した巻付手段ｃの両端側部分を締め付けして締結するための、図示しない締付手段（例えば、締付板と締付ボルトからなる手段）を有している。
締結部材２２で締結された巻付手段ｃの両端部分は、束ねられてた状態で係止部１８に止め金具２０によって係止される。
なお、以上述べた本発明の盗難防止構造は金庫以外にも適用することができ、適用される物品に特別な制限はない。
【００２６】
【発明の効果】
以上述べた本発明の金属・繊維複合ロープは、比較的小さい径でもカッターなどの刃物による切断がしにくい優れた耐刃物切断性を示す。また、この金属・繊維複合ロープを利用した本発明の盗難防止用器具及び盗難防止構造は、自動車、二輪車の盗難や金庫などの物品の盗難を適切に防止するができる。
【図面の簡単な説明】
【図１】本発明の金属・繊維複合ロープの一実施形態を示す部分断面平面図
【図２】本発明の金属・繊維複合ロープの端部の一実施形態を示す部分断面平面図
【図３】本発明の金属・繊維複合ロープを構成する短軸体の他の実施形態を示すもので、１つの短軸体を断面で、他の短軸体を平面でそれぞれ示す図面
【図４】本発明の金属・繊維複合ロープを構成する短軸体の他の実施形態を示す断面図
【図５】本発明の盗難防止用器具の一実施形態を使用状態で示す説明図
【図６】図５に示す盗難防止用器具の連結部材の一実施形態を示す平面図
【図７】本発明の盗難防止用器具の他の実施形態を示すもので、金属・繊維複合ロープの両端の連結部を示す部分断面平面図
【図８】本発明の物品の盗難防止構造の一実施形態を示す説明図
【図９】本発明の物品の盗難防止構造の他の実施形態を示す斜視図
【図１０】図９に示す盗難防止構造の説明図
【符号の説明】
１，１´…短軸体、２…縄状体、３…高強度繊維、４…端部金具、５…止め金具、６…環体、７，８…連結部材、９…リング状連結部、１０…部材、１１…枢着部、１２ａ，１２ｂ…リング構成部材、１３…施錠部、１４…ダイヤル錠、１５ａ…雄部材、１５ｂ…雌部材、１６…止め金具、１７…環体、１８…係止部、１９，１９ａ…ロープ挿通部、２０…止め金具、２１…高強度繊維織布、２２…締結部材、４０…環部、４１…挿通孔、１００，１００´…貫通孔、１０１，１０２…端部、１０３…セラミック被覆層、１０４…拡径部、１５０…挿通孔、ａ…盗難防止用器具、ｂ…金属・繊維複合ロープ、ｃ…巻付手段、ｊ…関節機構
【図１】
2004256975.tif 000003
【図２】
2004256975.tif 000004
【図３】
2004256975.tif 000005
【図４】
2004256975.tif 000006
【図５】
2004256975.tif 000007
【図６】
2004256975.tif 000008
【図７】
2004256975.tif 000009
【図８】
2004256975.tif 000010
【図９】
2004256975.tif 000011
【図１０】
2004256975.tif 000012